(57)【要約】【課題】エアゾール容器の容器本体が未使用モードのガス抜き用キャップを保持したときに、当該ガス抜き用キャップが容器本体の缶胴よりも外側に飛び出ないようにする。【解決手段】ガス抜き用キャップ70の外径Ａをアルミニウム製容器本体10の缶胴11の外径Ｂと略同一にし、容器本体10には未使用のガス抜用キャップ70を缶胴11と略同一面状に保持するための小径部分11ａやガス抜き用のステム作用部70ｃなどを収容する窪み部13ａを形成した。保持モードではガス抜き用キャップ70は缶胴11から径方向に出っ張ることがなく、容器本体10の高さはガス抜き用キャップ70の厚み分だけ高くなるだけである。したがって、製造工程でのガス抜き用キャップ70の引っ掛かりによる生産性の低下や当該キャップの外れが防止され、容器本体10自体が備えているデザイン性を損なうことがない。缶胴，目金蓋，底蓋からなるブリキ製容器本体の場合についても開示している。【選択図】図１
2005350131.tif 000002
【特許請求の範囲】
【請求項１】
容器本体の底面側に、ガス抜き用キャップを、その外周起立部の作用により着脱可能な形の未使用状態に保持するエアゾール容器において、
前記容器本体の周面下部には、前記外周起立部の全体に対応した小外径周面部が、当該容器本体の底面縁部から上方向に延び、かつ前記ガス抜き用キャップを保持したときにその外周面が当該容器本体の大外径周面部の延長位置よりも外側に飛び出ない態様で形成され、
前記容器本体の底面には、前記ガス抜き用キャップのガス抜き作用部の全体に対応した凹状部が形成されている、
ことを特徴とするガス抜き用キャップ対応のエアゾール容器。
【請求項２】
前記小外径周面部に、前記ガス抜き用キャップを係止するための周方向の凹状部および、前記ガス抜き用キャップを当該小外径周面部から取り外す際に作用するネジ作用部を周方向に飛び飛びの態様で設けた、
ことを特徴とする請求項１記載のガス抜き用キャップ対応のエアゾール容器。
【請求項３】
エアゾール式の容器本体の底面縁部から上方向に延びる小外径周面部に着脱可能な形で保持される外周起立部と、これに囲まれた底面状部とからなるガス抜き用キャップにおいて、
前記外周起立部は、その全体が前記小外径周面部に対応し、かつその外径の大きさが前記容器本体の大外径周面部の外形サイズ以下に設定され、
前記底面状部は、その前記外周起立部の方の面側のみにガス抜き作用部の全体が形成されている、
ことを特徴とするガス抜き用キャップ。
【請求項４】
請求項１または２記載のエアゾール容器に請求項３記載のガス抜き用キャップを取り付けたガス抜き用エアゾール構造において、
前記ガス抜き用キャップの前記外周起立部の全体が前記容器本体の前記大外径周面部の延長位置よりも外側に飛び出ずに、かつ、前記ガス抜き作用部の全体が前記容器本体の前記凹状部の空間域に収納されている、
ことを特徴とするガス抜き用エアゾール構造。
【請求項５】
請求項４記載のガス抜き用エアゾール構造を備え、かつ、放出用ガスおよび内容物を収容した、
ことを特徴とするエアゾール式製品。
【発明の詳細な説明】
【技術分野】
【０００１】
本発明は、ガス抜き用エアゾール構造などに関し、特に（使用済みのエアゾール式製品を廃棄するときなどに初めて使用される）ガス抜き用キャップをエアゾール容器本体に未使用状態で取り付けるタイプのガス抜き用エアゾール構造などに関する。
【０００２】
このタイプのガス抜き用エアゾール構造（エアゾール容器，ガス抜き用キャップ）においては、ガス抜き用キャップを容器本体に取り付けた状態で当該キャップが当該容器本体から飛び出ないように設定し、かつ、この取付けにともなう容器の高さ（＝ステム開口部位置）の増加分をできるだけ抑えることが望ましい。
【０００３】
それは、ガス抜き用キャップがエアゾール式製品の容器本体から飛び出ていると、エアゾール容器への例えばガス充填ラインにおいて別の容器やライン側の装置などに引っ掛かってしまうからである。
【０００４】
また、容器の径方向および高さ方向の外寸が大きくなると、複数のエアゾール式製品を搬送用ケースに詰めたり、陳列したりする場合のスペース効率が悪くなる。さらにはエアゾール式製品のデザイン性も損なわれてしまう。
【背景技術】
【０００５】
従来、使用済みエアゾール式製品の残留ガスを抜くためのガス抜き用キャップを底部側に備えたエアゾール容器が提案されている（例えば、特許文献１参照）。
【０００６】
このガス抜き用キャップの内径はエアゾール容器本体の缶胴の外径よりも大きいので、当該キャップを缶胴の下側部分に取り付けた保持モード（＝未使用状態）のときにはキャップがその厚み分だけ缶胴から径方向に出っ張った状態となる。
【０００７】
使用モードでは、当該ガス抜き用キャップを底部から外し、そのステム作用部を使用済みのエアゾール製品のステムに挿入するとともに、その使用モード設定部をマウンティングカップに係合させることにより、作動モードと同じ様にステムが押圧された状態を維持している。その結果、容器本体の残留ガスが外部空間に排出される。
【特許文献１】特開２０００−１７７７８６号公報（第５頁、第１５図、第１６図、第１７図）
【発明の開示】
【発明が解決しようとする課題】
【０００８】
このように、従来のガス抜き用キャップを備えたエアゾール式製品の場合、その保持モードにおいてガス抜き用キャップが容器本体の外周面から出っ張った状態となる。
【０００９】
そのため、エアゾール式製品の製造工程で、このガス抜き用キャップの出っ張りが生産ラインの一部に引っ掛かってライン上でのトラブルを起こす、さらには当該ガス抜き用キャップがエアゾール容器本体から外れてしまうなどの問題点があった。
【００１０】
また、複数のエアゾール式製品を搬送用ケースに詰めたり、陳列したりする場合のスペース効率が悪くなるなどの問題点があった。
【００１１】
また、特に化粧品など外観のデザインを重要視する製品ではそのデザイン性が損なわれるという問題点があった。
【００１２】
そこで、本発明では、容器本体にガス抜き用キャップを保持したときに当該キャップが容器本体（缶胴）の外周面から飛び出ないような形状となるエアゾール容器およびガス抜き用キャップを用い、これにより、製造ライン上などでのガス抜き用キャップの引っ掛かりを防止し、複数のエアゾール式製品の運搬・陳列時のスペース効率を確保し、さらにはエアゾール式製品のデザイン性を高めることなどを目的とする。
【課題を解決するための手段】
【００１３】
本発明は、以上の課題を次のようにして解決する。
（１）容器本体（例えば後述の容器本体１０，２０，２０’，２０”，３０，４０）の底面側（例えば後述の底部１３，２３，底蓋３３，４３）に、ガス抜き用キャップ（例えば後述のガス抜き用キャップ７０，８０，９０，１００）を、その外周起立部（例えば後述の筒状部７０ａ，８０ａ，９０ａ，１００ａ）の作用により着脱可能な形の未使用状態に保持するエアゾール容器において、前記容器本体の周面下部には、前記外周起立部の全体に対応した小外径周面部（例えば後述の小径部分１１ａ，２１ａ，４１ｂ，巻締部分３３ａ）を、当該容器本体の底面縁部から上方向に延び、かつ前記ガス抜き用キャップを保持したときにその外周面が当該容器本体の大外径周面部（例えば後述の缶胴１１，２１，３１，４１）の延長位置よりも外側に飛び出ない態様で形成され、前記容器本体の底面には、前記ガス抜き用キャップのガス抜き作用部（例えば後述のステム作用部７０ｃ，８０ｃ，９０ｃ，１００ｃ）の全体に対応した凹状部（例えば後述の窪み部１３ａ，２３ａ，３３ｂ，４３ｂ）が形成された、ものにする。
（２）上記（１）において、前記小外径周面部に、前記ガス抜き用キャップを係止するための周方向の凹状部（例えば後述の凹状部２１ｂ）および、前記ガス抜き用キャップを当該小外径周面部から取り外す際に作用するネジ作用部（例えば後述のネジ作用部２４，２５）を周方向に飛び飛びの態様で設ける。
（３）エアゾール式の容器本体（例えば後述の容器本体１０，２０，２０’，２０”，３０，４０）の底面（例えば後述の底部１３，２３，底蓋２３，４３）縁部からその上方向に延びる小外径周面部（例えば後述の小径部分１１ａ，２１ａ，４１ｂ，巻締部分３３ａ）に着脱可能なかたちで保持される外周起立部（例えば後述の筒状部７０ａ，８０ａ，９０ａ，１００ａ）と、これに囲まれた底面状部（例えば後述の平坦面部分７０ｆ，８０ｆ，９０ｆ，１００ｆ）とからなるガス抜き用キャップ（例えば後述のガス抜き用キャップ７０，８０，９０，１００）において、前記外周起立部は、その全体が前記小外径周面部に対応し、かつ、その外径の大きさが前記容器本体の大外径周面部（例えば後述の缶胴１１，２１，３１，４１）の外径サイズ以下に設定され、前記底面状部は、その前記外周起立部の方の面側のみにガス抜き作用部（例えば後述のステム作用部７０ｃ，８０ｃ，９０ｃ，１００ｃ、使用モード設定部７０ｅ，８０ｅ，９０ｅ、突状部１００ｅ）の全体が形成されている、ものにする。
（４）上記（１）または（２）のエアゾール容器に上記（３）のガス抜き用キャップを取り付けたガス抜き用エアゾール構造において、前記ガス抜き用キャップの前記外周起立部の全体が前記容器本体の前記大外径周面部の延長位置よりも外側に飛び出ずに、かつ、前記ガス抜き作用部の全体を前記容器本体の前記凹状部の空間域に収納されている、ものにする。
【００１４】
このような構成からなるガス抜き用キャップ対応のエアゾール容器および、ガス抜き用キャップ，ガス抜き用エアゾール構造、さらにはこのガス抜き用エアゾール構造を備えたエアゾール式製品を本発明の対象としている。
【発明の効果】
【００１５】
本発明の場合、エアゾール容器の容器本体に未使用モードのガス抜き用キャップを保持したときに、当該ガス抜き用キャップが容器本体の大外径周面部の延長位置よりも外側に飛び出ることはない。そのため、エアゾール式製品の製造工程においてガス抜き用キャップが別の容器やライン側の装置などに引っ掛かってしまう恐れはなく、生産性の向上を図ることができる。
【００１６】
また、ガス抜き用キャップが取り付けられる容器本体部分（小外径周面部）に当該キャップ係止用の周方向凹状部および当該キャップ取外し用のネジ作用部を周方向に飛び飛びに設けている。そのため、ガス抜き用キャップが容器本体から不用意に外れるのを防止するとともに、ガス抜き用キャップを使用する際にはある程度の外しやすさを担保でき、ガス抜き用キャップ付きエアゾール式製品の利便性の向上化を図ることができる。
【００１７】
また、ガス抜き用キャップの底面状部はその外周起立部の方の面側のみにガス抜き作用部を形成して、ガス抜き用キャップを容器本体に取り付けたことによる容器身長の伸びを当該底面状部の厚み分程度に抑えている。すなわち、ガス抜き用キャップを容器本体に取り付けた状態で当該キャップが当該容器本体の大外径周面部の延長位置よりも外側に飛び出ないだけでなく、容器のかさ上げもわずかな高さ分ですむようにしている。そのため、ガス抜き用キャップを取り付けた複数のエアゾール式製品を搬送用ケースに詰めたり、陳列したりする場合のスペース効率を確保でき、さらにはエアゾール式製品のデザイン性を損なうこともない。
【発明を実施するための最良の形態】
【００１８】
図１乃至図８を用いて本発明を実施するための最良の形態を説明する。
【００１９】
ここで、
図１は、（ガス抜き用キャップに対する）環状係止部なしのアルミニウム製容器本体とそのガス抜き用キャップを示し、
図２は、図１のガス抜き用キャップの保持モードおよび使用モードを示し、
図３は、（ガス抜き用キャップに対する）環状係止部ありのアルミニウム製容器本体とそのガス抜き用キャップを示し、
図４は、図３のガス抜き用キャップの保持モードおよび使用モードを示し、
図５は、ブリキ製容器本体とそのガス抜き用キャップ（その１）を示し、
図６は、ブリキ製容器本体とそのガス抜き用キャップ（その２）を示し、
図７は、図３の容器本体の変形例、すなわちガス抜き用キャップ取外しのためのネジ作用部（その１）を形成したアルミニウム製容器本体を示し、
図８は、図３の容器本体の変形例、すなわちガス抜き用キャップ取外しのためのネジ作用部（その２）を形成したアルミニウム製容器本体を示している。
【００２０】
これらの図において、
１０，２０，２０’，２０”は缶胴および肩部，底部が一体成形されたアルミニウム製の容器本体，
１１，２１は当該容器本体の缶胴，１１ａ，２１ａは当該缶胴に形成され保持モードで後述の各ガス抜き用キャップ７０，８０を取り付けるための小径部分，２１ｂは当該小径部分自体の上側域に形成され保持モードで後述のガス抜き用キャップの突状部８０ｂと係合するための環状の凹状部（小径部分の一部），
１２，２２は各缶胴１１，２１と一体成形された肩部，
１３，２３は各缶胴１１，２１と一体成形された底部，１３ａ，２３ａは当該底部に形成され保持モードで後述の各ガス抜き用キャップのステム作用部７０ｃ，８０ｃを収納するための窪み部，
２４は容器本体２０’（缶胴２１）の小径部分２１ａにその一部の凹状部２１ｂから連続する形で設けられた突状のネジ作用部, ２４ａは当該ネジ作用部の上側斜部，２４ｂは当該ネジ作用部の下側斜部，２４ｃは当該ネジ作用部の周方向部，
２５は容器本体２０”（缶胴２１）の小径部分２１ａに凹状部２１ｂから連続する形で設けられた溝段部状のネジ作用部，２５ａは凹状部２１ｂからネジ作用部に向かって上る斜面，２５ｂは小径部分２１ａに形成され凹状部２１ｂと同じ高さの溝部，
３０，４０は缶胴および目金蓋，底蓋のスリーピースからなるブリキ製の容器本体，
３１，４１は当該容器本体の缶胴，３１ａ，４１ａは当該缶胴に形成され保持モードで後述の各ガス抜き用キャップの突状部９０ｂ，１００ｅと係合するための環状の凹状部（小径部分），４１ｂは凹状部４１ａの下方に続き保持モードで後述のガス抜き用キャップ１００を取り付けるための（主たる）小径部分，
３２，４２は各缶胴３１，４１に巻き締められる目金蓋，３２ａ，４２ａは当該目金蓋の巻締部分，３２ｂ，４２ｂは当該巻締部分の下側に形成される凹部，
３３，４３は各缶胴３１，４１に巻き締められる底蓋，３３ａ，４３ａは当該底蓋の巻締部分（小径部分），３３ｂ，４３ｂは当該底蓋に形成され保持モードで後述の各ガス抜き用キャップのステム作用部９０ｃ，１００ｃを収納するための窪み部，
５０はステム，
６０はマウンティングカップ，６０ａは当該マウンティングカップの一部であってハウジング（図示省略）に対するクリンプ部分，６０ｂは当該マウンティングカップと容器本体との巻締部分の下側に形成される凹部，
７０，８０，９０，１００はガス抜き用キャップ，
７０ａ，８０ａ，９０ａ，１００ａは保持モードで各容器本体１０，２０，３０，４０に取り付けられるための筒状部，
８０ｂ，９０ｂは各缶胴の凹状部２１ｂ，３１ａに係合するための環状の突状部，
７０ｃ，８０ｃ，９０ｃ，１００ｃは使用モードでステム５０に嵌合するステム作用部，
７０ｄ，８０ｄ，９０ｄ，１００ｄは当該ステム作用部に形成されたガス抜き用の孔部，
７０ｅは使用モードでマウンティングカップ６０のクリンプ部分６０ａに係合してガス抜き用キャップ７０をステム５０の押圧状態（＝エアゾール式製品の通常の動作状態）に保持する使用モード設定部，
８０ｅ，９０ｅは使用モードでマウンティングカップ６０の下側凹部６０ｂに係合してガス抜き用キャップ８０，９０をステム５０の押圧状態（＝エアゾール式製品の通常の動作状態）に保持する使用モード設定部，
１００ｅは保持モードでは缶胴４１の凹状部４１ａに係合し、使用モードでは巻締部分４２ａの凹部４２ｂに係合してガス抜き用キャップ１００をステム５０の押圧状態（＝エアゾール式製品の通常の動作状態）に保持するための環状の突状部，
７０ｆ，８０ｆ，９０ｆ，１００ｆは当該ガス抜き用キャップの平坦面部分，
８０ｇ，９０ｇは環状の起立部，
Ａはガス抜き用キャップ７０，８０，９０，１００の外径，
Ｂは容器本体の缶胴１１，２１，３１，４１の（同一径からなる）大径直筒部の外径，
をそれぞれ示している。
【００２１】
上述の各ガス抜き用キャップ７０，８０，９０，１００の材質は、ポリプロピレン，ポリエチレン，ポリアセタール，ナイロン，ポリブチレンテレフタレートなどのプラスチックである。
【００２２】
図示された本発明の容器本体およびガス抜き用キャップの主たる特徴は、
(a)容器本体１０，２０，３０，４０の缶胴１１，２１，３１，４１の底部側に、ガス抜き用キャップに対応した小径部分１１ａ，２１ａや凹状部２１ｂ，３１ａ，４１ａ、巻締部分３３ａ，３４ａなどを形成して、ガス抜き用キャップ７０，８０，９０，１００の外径Ａを缶胴１１，２１，３１，４１の外径Ｂと略同一にしたこと、
(b)保持モードにおいて、ガス抜き用キャップ７０，８０，９０，１００のガス抜き作用部の全体（ステム作用部７０ｃ，８０ｃ，９０ｃ，１００ｃ、使用モード設定部７０ｅ，８０ｅ，９０ｅ、突状部１００ｅなど）が、容器本体１０，２０，３０，４０の窪み部１３ａ，２３ａ，３３ｂ，４３ｂに収納されるようにしたこと、
である。
【００２３】
これにより、保持モードでガス抜き用キャップ７０，８０，９０，１００は缶胴１２，２２，３２，４２から径方向に出っ張ることがなく、またガス抜き用キャップ取付け後の容器本体１０，２０，３０，４０の身長もガス抜き用キャップの厚み分だけ高くなるだけである。
【００２４】
したがって、本発明のガス抜き用エアゾール構造は、
(1)工場での製造時や店頭での陳列作業時にガス抜き用キャップ７０，８０，９０，１００が引っ掛かって当該キャップが外れることが防止され、
(2)生産ラインに当該キャップが引っ掛かるなどのトラブルも防止され、
(3)エアゾール式製品としてのデザイン性を損なうこともない、
などの利点を具備している。
【００２５】
図１乃至図４の容器本体１０，２０はアルミニウム製であり、その全体が一体成形されている。
【００２６】
図１および図２の缶胴１１の下方部分には、保持モードでガス抜き用キャップ７０の筒状部７０ａを保持するための小径部分１１ａが形成され、底部１３にはステム作用部７０ｃなどを収容するための窪み部１３ａが形成されている。
【００２７】
ガス抜き用キャップ７０には、使用モードでステム５０に嵌合するためのステム作用部７０ｃやマウンティングカップ６０のクリンプ部分６０ａに係合してステム５０を押圧した状態に保持するための使用モード設定部７０ｅなどが設けられている。
【００２８】
図２に示すように、保持モードでガス抜き用キャップ７０は、
・筒状部７０ａが缶胴１１の小径部分１１ａに嵌合し、
・ステム作用部７０ｃなどは窪み部１３ａに入り込むかたちで、
容器本体１０と一体化し、ガス抜き用キャップ７０が缶胴１１から径方向に出っ張ることはない。
【００２９】
そして、缶胴１１の下側部分や底部１３は、ガス抜き用キャップ７０によってカバーされるので落下時などの衝撃から保護される。
【００３０】
また、容器本体１０を直立して陳列棚などに載置したときには、平坦面部分７０ｆが載置面に対して広くまた略水平に接触するので安定性がよい。
【００３１】
使用モードにするには、ガス抜き用キャップ７０を容器本体１０の小径部分１１ａから下方向に引き抜き、ステム作用部７０ｃにステム５０を挿入するとともに使用モード設定部７０ｅをクリンプ部分６０ａに係合する。
【００３２】
これによりステム５０が押圧されこの押圧状態が維持されるので、容器本体１０の残留ガスは孔部７０ｄから外部空間に排出される。
【００３３】
なお、ガス抜き用キャップ７０の筒状部７０ａの内径を小径部分１１ａの外径よりも少しだけ小さくして当該筒状部が自らの弾性変形力によって強制的に広げられるかたちで小径部分１１ａに保持されるようにし、このときにガス抜き用キャップの７０外径が缶胴１１の外径Ｂと略同一になるようにしてもよい。
【００３４】
図３および図４の容器本体２０およびガス抜き用キャップ８０と、図１および図２のそれとの相違点は、
(11)保持モードで缶胴２１にガス抜き用キャップ８０を係止させるための凹状部２１ｂと突状部８０ｂとを形成し、
(12)ガス抜き用キャップ８０に環状の起立部８０ｇを形成し、
(13)使用モードでガス抜き用キャップ８０の使用モード設定部８０ｅがマウンティングカップ６０の下側凹部６０ｂに係合する、
ことなどである。
【００３５】
図４に示すように保持モードでは、ガス抜き用キャップ８０の突状部８０ｂが缶胴２１の環状凹部２１ｂに係合するのでガス抜き用キャップ８０は缶胴２１から外れにくい。
【００３６】
なお、図３，図４の保持モードにおける起立部８０ｇは容器本体２１の底部２３に当接しているが、この起立部８０ｇは底部２３から離間した態様でもよい。図５の起立部９０ｇおよび図７，図８の起立部８０ｇも同様である。
【００３７】
使用モードにするには、ガス抜き用キャップ８０を容器本体２０に対して傾けるなどして突状部８０ｂを（環状凹部２１ｂが形成されていない）小径部分２１ａに乗り上げさせて缶胴２１から取り外した後、そのステム作用部８０ｃにステム５０を挿入するとともに使用モード設定部８０ｅをマウンティングカップ６０の下側凹部６０ｂに係合させればよい。
【００３８】
これにより、ステム５０は押圧された状態に保持されるので容器本体２０の残留ガスを抜くことができる。
【００３９】
図５および図６の容器本体３０，４０はブリキ製で、各目金蓋３２，４２と底蓋３３，４３とはそれぞれ缶胴３１，４１に巻き締められている。
【００４０】
図５の容器本体３０では、底蓋３３の缶胴３１への巻締部分３３ａがガス抜き用キャップ９０の厚みを考慮した分だけ缶胴３１よりも小径に形成され、当該巻締部分の上側にガス抜き用キャップ９０を保持するための凹状部３１ａが形成されている。
【００４１】
一方、ガス抜き用キャップ９０の筒状部９０ａも、当該凹状部や当該巻締部分に対応するようにその高さを低くするとともに薄肉に形成している。ガス抜き用キャップの他の構成は、図３のガス抜き用キャップと同様である。
【００４２】
使用モードにするには、ガス抜き用キャップ９０を容器本体３０に対して傾けるなどして突状部９０ｂを巻締部分３３ａに乗り上げさせて缶胴３１から取り外した後、ステム作用部９０ｃにステム５０を挿入するとともに使用モード設定部９０ｅをマウンティングカップ６０の下側凹部６０ｂに係合すればよい。
【００４３】
図６のガス抜き用キャップ１００の特徴は、使用モード設定部と、保持モードで缶胴に取り付けられるための突状部とを共通化したことである。
【００４４】
すなわち、ガス抜き用キャップ１００に形成された環状の突状部１００ｅが、
(21)保持モードでは缶胴４１の凹状部４１ａ（小径部分）に係合し、
(22)使用モードでは巻締部分４２ａ（目金蓋４２）の下側の凹部４２ｂに係合する。
【００４５】
そして、缶胴４１の凹状部４１ａに続く下側部分はガス抜き用キャップ１００を取り付けるための小径部分４１ｂとなっており、巻締部分４３ａも小径に形成されている。
【００４６】
使用モードにするには、ガス抜き用キャップ１００を缶胴４１から取り外した後上下を逆さまにし、ステム作用部１００ｃをステム５０に挿入するとともに突状部１００ｅを巻締部４２ａの下側凹部４２ｂに係合させればよい。
【００４７】
このようにガス抜き用キャップ１００では突状部１００ｅが使用モードおよび保持モードそれぞれにおける容器本体４０への共通の係合部として作用するので、これらモードごとの係合部を別々に設ける場合に比べて、ガス抜き用キャップ１００の製造工程が簡単化される。
【００４８】
図７および図８の容器本体２０’，２０”は、図３および図４のアルミニウム製の容器本体２０に、ガス抜き用キャップ８０に対するネジ作用部２４，２５を形成したものである。
【００４９】
図７の容器本体２０’には突状のネジ作用部２４が、缶胴２１の小径部分２１ａに、その一部の凹状部２１ｂから連続する態様で周方向の４箇所に等間隔で形成されている。
【００５０】
当該ネジ作用部は、凹状部２１ｂに設けられた上側斜部２４ａと小径部分２１ａに設けられた下側斜部２４ｂとが、凹状部２１ｂと小径部分２１ａの境に設けられた周方向部２４ｃによって連結された態様になっている。
【００５１】
ガス抜き用キャップ８０は前述のようにプラスチック製であって、それ自体、外力に対する変形性を有している。
【００５２】
そのため、容器本体２０’（缶胴２１）の小径部分２１ａに取り付けられたガス抜き用キャップ８０は、ネジ作用部２４の上側斜部２４ａおよび周方向部２４ｃ，下側斜部２４ｂそれぞれの対応部分が凹状に変形する。
【００５３】
すなわち、ガス抜き用キャップ８０（筒状部８０ａ）の内周面には突状のネジ作用部２４に対するいわば谷部が形成される。この谷部の中、上側斜部２４ａおよび下側斜部２４ｂに対応する部分は、ガス抜き用キャップ８０を回動したときに当該キャップを缶胴２１に対して下動させる機能を持ったネジ状部として作動する。
【００５４】
したがって、利用者が保持モードのガス抜き用キャップ８０を下方向のみに引き抜こうとしても、それまでにネジ作用部２４が筒状部８０ａの内周面に食い込んだ形のネジ状態に移行しており、また当該ガス抜き用キャップの突状部８０ｂが当該ネジ作用部の周方向部２４ｃに当たってしまうので、当該ガス抜き用キャップは缶胴２１から外れにくい。
【００５５】
一方、ガス抜き用キャップ８０を図示左方向に回動しながら外そうとするときには、上述のように、缶胴２１のネジ作用部（山部）２４の上側斜部２４ａおよび下側斜部２４とこれに対応するガス抜き用キャップ側の谷部との間のいわばネジ動作もともなうので、当該ガス抜き用キャップを缶胴２１から比較的スムーズに取り外すことができる。
【００５６】
図８の容器本体２０”には、溝段部状のネジ作用部２５が、缶胴２１の小径部分２１ａの対向する２箇所に、それぞれ当該小径部分の一部の凹状部２１ｂから連続する態様で斜め方向に形成されている。なお、図８のガス抜き用キャップ８０の弾性などの性状自体は図７のそれと同じである。
【００５７】
ネジ作用部２５の場合はその溝部２５ｂがネジとして作用するので、保持モードのガス抜き用キャップ８０には当該溝部に対するいわば山部が形成される。これは、溝部２５ｂが形成されていない範囲の小径部分２１ａと当接する（筒状部８０ａの）当該内周面部分が当該範囲の小径部分にいわば押し込まれるからである。
【００５８】
そして、この缶胴２１の小径部分２１ａの溝部２５ｂとガス抜き用キャップ８０の内周面の山部とがネジ状部を構成する。
【００５９】
利用者が、図８の場合における保持モードのガス抜き用キャップ８０を下方向のみに引き抜こうとするとき、また、図示左方向に回動しながら外そうとするときそれぞれの、当該ガス抜き用キャップの外れにくさ／外れやすさの傾向は、上述の図７の場合と同様である。
【００６０】
なお、図８の場合のネジ状部はその全体が１直線状となっており、かつ図７の周方向部２４ｃに相当する部分を備えていない。その限りにおいては図８のネジ作用部２５の方が、図７のネジ作用部２４よりも、保持モードのガス抜き用キャップ８０を缶胴２１の小径部分２１ａから外しやすくなっている。
【００６１】
以上述べたように、図示の容器本体およびガス抜き用キャップに関する基本的特徴は、
(31)缶胴のガス抜き用キャップ取付け対象域を小径部分の態様で形成し、
(32)容器本体に取り付けられた保持モードにおけるガス抜き用キャップの外径Ａを、缶胴の大径直筒部の外径Ｂと略一致するように設定し、
(33)保持モードにすることにともなう容器本体の身長増加分をガス抜き用キャップの底面部の厚み程度にした、
ことである。
【００６２】
なお、ガス抜き用キャップの外径Ａと缶胴の大径直筒部の外径Ｂとの関係は「Ａ≦Ｂ」であればよい。
【００６３】
また、ガス抜き用キャップの使用モード設定部の態様を容器本体との図示の組み合わせに限定する必要は勿論ない。
【００６４】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６５】
容器本体に収納する内容物は、例えば、粉状物，油成分，アルコール類，界面活性剤，高分子化合物，各用途に応じた有効成分などである。
【００６６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６８】
アルコール類としては、エタノールなどの１価の低級アルコール，ラウリルアルコールなどの１価の高級アルコール，エチレングリコールなどの多価アルコールなどを用いる。
【００６９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７０】
高分子化合物としては、メチルセルロース，ゼラチン，デンプン，カゼインなどを用いる。
【００７１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７２】
さらに、上記内容物以外の、懸濁剤，紫外線吸収剤，乳化剤，保湿剤，酸化防止剤、金属イオン封鎖剤なども用いることができる。
【００７３】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００７４】
【図１】本発明の、（ガス抜き用キャップに対する）環状係止部なしのアルミニウム製容器本体とそのガス抜き用キャップを示す説明図である。
【図２】本発明の、図１のガス抜き用キャップの保持モードおよび使用モードを示す説明図である。
【図３】本発明の、（ガス抜き用キャップに対する）環状係止部ありのアルミニウム製容器本体とそのガス抜き用キャップを示す説明図である。
【図４】本発明の、図３のガス抜き用キャップの保持モードおよび使用モードを示す説明図である。
【図５】本発明の、ブリキ製容器本体とそのガス抜き用キャップ（その１）を示す説明図である。
【図６】本発明の、ブリキ製容器本体とそのガス抜き用キャップ（その２）を示す説明図である。
【図７】本発明の、図３の容器本体の変形例、すなわちガス抜き用キャップ取外しのためのネジ作用部（その１）を形成したアルミニウム製容器本体を示す説明図である。
【図８】本発明の、図３の容器本体の変形例、すなわちガス抜き用キャップ取外しのためのネジ作用部（その２）を形成したアルミニウム製容器本体を示す説明図である。
【符号の説明】
【００７５】
１０，２０，２０’，２０”：アルミニウム製の容器本体
１１，２１：缶胴
１１ａ，２１ａ：小径部分
２１ｂ：凹状部 
１２，２２：肩部
１３，２３：底部
１３ａ，２３ａ：窪み部
２４：ネジ作用部
２４ａ：上側斜部
２４ｂ：下側斜部
２４ｃ：周方向部
２５：スライド部 
３，４：ブリキ製の容器本体
３１，４１：缶胴
３１ａ，４１ａ：凹状部（小径部分）
４１ｂ：小径部分
３２，４２：目金蓋
３２ａ，４２ａ：巻締部分
３２ｂ，４２ｂ：凹部
３３，４３：底蓋
３３ａ，４３ａ：巻締部分（小径部分）
３３ｂ，４３ｂ：窪み部 
５０はステム，
６０はマウンティングカップ
６０ａ：クリンプ部分
６０ｂ：凹部 
７０，８０，９０，１００：ガス抜き用キャップ
７０ａ，８０ａ，９０ａ，１００ａ：筒状部
８０ｂ，９０ｂ：突状部
７０ｃ，８０ｃ，９０ｃ，１００ｃ：ステム作用部
７０ｄ，８０ｄ，９０ｄ，１００ｄ：ガス抜き用の孔部
７０ｅ，８０ｅ，９０ｅ：使用モード設定部
１００ｅ：突状部，
７０ｆ，８０ｆ，９０ｆ，１００ｆ：平坦面部分
８０ｇ，９０ｇ：起立部
Ａ：ガス抜き用キャップ７０，８０，９０，１００の外径
Ｂ：缶胴１１，２１，３１，４１の大径直筒部の外径
【図１】
2005350131.tif 000003
【図２】
2005350131.tif 000004
【図３】
2005350131.tif 000005
【図４】
2005350131.tif 000006
【図５】
2005350131.tif 000007
【図６】
2005350131.tif 000008
【図７】
2005350131.tif 000009
【図８】
2005350131.tif 000010